(57)【特許請求の範囲】
【請求項１】
１または複数の通信装置との間で送信または受信した画像情報を所定の画像情報保存装置へ送信する通信装置において、複数の送信処理及び受信処理夫々に番号を付して管理する管理手段と、該管理手段にて管理される前記番号を付加して、前記画像情報を前記画像情報保存装置へ送信する送信手段とを備えており、付加する前記番号は、前記画像情報保存装置への前記画像情報の送信処理に対応する番号であることを特徴とする通信装置。
【請求項２】
前記送信手段は、前記画像情報の前記１または複数の通信装置との間での送信または受信に関する情報を前記画像情報保存装置へ送信するようにした請求項１記載の通信装置。
【発明の詳細な説明】
【０００１】
【発明の属する技術分野】
本発明は、画像情報を送受信する通信装置に関し、特に、他の通信装置との間で送信または受信した画像情報を所定の画像情報保存装置へ送信する通信装置に関する。
【０００２】
【従来の技術】
自身が送信した画像情報または自身が受信した画像情報を、予め登録しておいたファクシミリ受信機能付きの所定の画像情報保存装置へ送信して画像情報をその画像情報保存装置へ転送するようにしたリモートコピー機能を有するファクシミリ装置が知られている。このような画像情報の転送システムを設けることにより、送受信された画像情報に対して、その画像情報保存装置にて種々の編集処理を行える。
【０００３】
【発明が解決しようとする課題】
このようなリモートコピー機能を有するファクシミリ装置にあって、画像情報保存装置へ転送された複数の画像情報から所望の画像情報を探す場合に、従来では、ファクシミリ装置の通信管理記録に記載されている所望の画像情報の「通信開始時刻」を参照して、それに似通った時刻に転送された複数の画像情報の中から所望のものを探し出している。従って、その探索処理は煩雑であり、手間がかかって長時間を要するという問題がある。
【０００４】
本発明は斯かる事情に鑑みてなされたものであり、画像情報保存装置に転送された複数の画像情報の中から所望の画像情報を容易かつ短時間にて探すことができるリモートコピー機能付きの通信装置を提供することを目的とする。
【０００５】
【課題を解決するための手段】
請求項１に係る通信装置は、１または複数の通信装置との間で送信または受信した画像情報を所定の画像情報保存装置へ送信する通信装置において、複数の送信処理及び受信処理夫々に番号を付して管理する管理手段と、該管理手段にて管理される前記番号を付加して、前記画像情報を前記画像情報保存装置へ送信する送信手段とを備えており、付加する前記番号は、前記画像情報保存装置への前記画像情報の送信処理に対応する番号であることを特徴とする。
【０００６】
請求項１の通信装置にあっては、画像情報保存装置に画像情報を転送する場合に、通信管理用の番号を画像情報に付加して転送する。よって、転送された画像情報に通信管理用の番号が付加されているため、画像情報保存装置に転送された複数の画像情報の中から所望の画像情報を探す場合に、通信装置の通信管理記録に記載されている通信管理用の番号に一致する画像情報を探せば良い。従って、極めて簡単に所望の画像情報を探し出せる。また、付加する番号として、画像情報保存装置への送信処理に対応する番号を用いる。よって、所望の画像情報の探索処理を容易に行える。
【０００９】
請求項２に係る通信装置は、請求項１において、前記送信手段は、前記画像情報の前記１または複数の通信装置との間での送信または受信に関する情報を前記画像情報保存装置へ送信するようにしたことを特徴とする。
【００１０】
請求項２の通信装置にあっては、画像情報の送信または受信に関する情報を画像情報保存装置へ送信する場合に、画像情報の送信処理に対応する番号を付加する。よって、所望の画像情報の探索処理をより容易に行える。
【００１１】
【発明の実施の形態】
以下、本発明をその実施の形態を示す図面を参照して具体的に説明する。
図１は、本発明の通信装置としてのファクシミリ装置２０の構成を示すブロック図、図２は、このファクシミリ装置２０のリモートコピー機能（自身が送信または受信した画データを画データ保存用の所定の端末装置へ転送する機能）を果たすシステム構成を示す模式図である。
【００１２】
図２において、本発明のファクシミリ装置２０は、公衆電話回線を介して所望の他のファクシミリ装置３０，３０，・・・との間で、画データの送信／受信を行う。ファクシミリ装置２０は、１または複数のファクシミリ装置３０へ画データを送信した場合にその送信した画データを、予め登録しておいた画像情報保存装置としてのロギング端末装置４０へも送信すると共に、１または複数の他のファクシミリ装置３０から画データを受信した場合に、その受信した画データをロギング端末装置４０へ送信する。このロギング端末装置４０は、例えばモデムを取り付けてファクシミリ受信機能を有するパーソナルコンピュータである。
【００１３】
図１に示す本発明のファクシミリ装置２０は、主制御部１，読取部２，記録部３，表示部４，操作部５，ＲＯＭ６，ＲＡＭ７，画像メモリ８，モデム９，ＮＣＵ（Ｎｅｔｗｏｒｋ  Ｃｏｎｔｒｏｌ  Ｕｎｉｔ）１０，通信管理情報記憶部１１等を備えている。
【００１４】
主制御部１は、具体的にはＣＰＵで構成されており、バス１２を介してファクシミリ装置２０の上述したようなハードウェア各部と接続されていて、それらを制御すると共に、ＲＯＭ６に格納されたコンピュータプログラムに従って、種々のソフトウェア的機能を実行する。
【００１５】
読取部２は、例えばＣＣＤを利用したスキャナで原稿を読み取り、ドットイメージデータを出力する。記録部３は、電子写真方式のプリンタ装置であって、ファクシミリ通信により受信した画データ、または、読取部２にて読み取った原稿の画データをハードコピーとしてプリントアウトする。
【００１６】
表示部４は、液晶表示装置またはＣＲＴディスプレイ等の表示装置であり、本発明のファクシミリ装置２０の動作状態を表示したり、送信すべく読み取った原稿の画データまたは受信した画データの表示を行う。操作部５は、本発明のファクシミリ装置２０を操作するために必要な文字キー，テンキー，短縮ダイヤルキー，ワンタッチダイヤルキー，各種のファンクションキー等を備えている。なお、表示部４をタッチパネル方式とすることにより、操作部５の各種のキーの内の一部または全部を代用することも可能である。
【００１７】
ＲＯＭ６は、本発明のファクシミリ装置２０の動作に必要な種々のソフトウェアのプログラムを予め格納している。ＲＡＭ７は、ＳＲＡＭまたはフラッシュメモリ等で構成され、ソフトウェアの実行時に発生する一時的なデータを記憶する。また、ＲＡＭ７は、予め設定されているロギング端末装置４０の宛先情報を格納している。画像メモリ８は、ＤＲＡＭ等で構成され、送信すべき画データまたは受信した画データを蓄積する。
【００１８】
モデム９は、バス１２に接続されており、ファクシミリ通信が可能なファクスモデムから構成されている。また、モデム９は、同様にバス１２に接続されたＮＣＵ１０と直接的に接続されている。ＮＣＵ１０は、公衆電話回線網とのアナログ回線Ｌの閉結及び開放の動作を行うハードウェアであり、必要に応じてモデム９を公衆電話回線網と接続する。なお、ＤＳＵ（Ｄｉｇｉｔａｌ  Ｓｅｒｖｉｃｅ  Ｕｎｉｔ：加入者線終端装置）を備えることにより、ベースバンド伝送方式のディジタル回線網（ＩＳＤＮ）に接続するようにしても良い。
【００１９】
通信管理情報記憶部１１は、主制御部１にて管理されている、１または複数のファクシミリ装置３０へ画データを送信する送信処理と、ファクシミリ装置３０から画データを受信する受信処理と、１または複数のファクシミリ装置３０との間で送信または受信した画データをロギング端末装置４０へ送信する送信処理とにおける通信管理情報を記憶する。
【００２０】
本発明のファクシミリ装置２０は、１または複数のファクシミリ装置３０への送信処理と、ロギング端末装置４０への送信処理とは、連続するジョブ番号を付けて一括して管理している。図３は、これらの送信処理における通信管理情報の一例を示す図である。この通信管理情報には、送信管理番号としてのジョブ番号，送信先，送信モード，送信開始時刻，送信時間，送信ページ数，送信結果などの情報が含まれる。なお、送信先における「転送」はロギング端末装置４０への送信を表している。
【００２１】
一方、本発明のファクシミリ装置２０は、ファクシミリ装置３０からの受信処理も、連続するジョブ番号を付けて管理している。図４は、この受信処理における通信管理情報の一例を示す図である。この通信管理情報には、受信管理番号としてのジョブ番号，発信元，受信モード，受信開始時刻，受信時間，受信ページ数，受信結果などの情報が含まれる。
【００２２】
本発明のファクシミリ装置２０にあっては、１または複数のファクシミリ装置３０との間で送信または受信した画データをロギング端末装置４０へ転送する際に、ファクシミリ装置３０との間でその画データを送信または受信したときのジョブ番号（送信管理番号若しくは受信管理番号）、及び／または、その画データをロギング端末装置４０へ送信（転送）するときのジョブ番号（送信管理番号）を、転送すべき画データに付加する。
【００２３】
次に、動作について説明する。図５，図６は、本発明のファクシミリ装置２０の処理動作の手順を示すフローチャートである。
【００２４】
主制御部１は、画データの送信処理であるか否かを判断する（ステップＳ１）。送信処理である場合に（Ｓ１：ＹＥＳ）、送信対象の原稿の画データを読取部２にて読み取り、読み取った画データを画像メモリ８に格納する（ステップＳ２）。そして、主制御部１は、電話回線を介して１または複数の送信先に発呼し（ステップＳ３）、その画データの送信処理におけるジョブ番号（送信管理番号）を決定する（ステップＳ４）。
【００２５】
そして、送信先の１または複数のファクシミリ装置３０へ画データを送信し（ステップＳ５）、電話回線を切る（ステップＳ６）。主制御部１は、この送信処理における通信管理情報（ジョブ番号（送信管理番号），送信先，送信モード，送信開始時刻，送信時間，送信ページ数，送信結果など）を通信管理情報記憶部１１に格納する（ステップＳ７）。
【００２６】
主制御部１は、全ての送信先に対して画データの送信を完了したか否かを判断する（ステップＳ８）。完了していない場合には（Ｓ８：ＮＯ）、ロギング端末装置４０への画データの転送を行わずに、処理を終了する。
【００２７】
全ての送信先への送信が完了した場合に（Ｓ８：ＹＥＳ）、主制御部１は、電話回線を介してロギング端末装置４０に発呼し（ステップＳ９）、その送信画データのロギング端末装置４０への送信（転送）処理におけるジョブ番号（送信管理番号）を決定する（ステップＳ１０）。その送信画データの送信に関する情報を画データにしてロギング端末装置４０へ送信すると共に（ステップＳ１１）、その送信画データを画像メモリ８から読み出してロギング端末装置４０へ送信（転送）する（ステップＳ１２）。ロギング端末装置４０への転送が完了すると、ロギング端末装置４０との電話回線を切る（ステップＳ１３）。
【００２８】
図７は、上記Ｓ１１においてロギング端末装置４０へ送信する送信情報を示す図である。ヘッダには、ロギング端末装置４０へのこの送信（転送）処理のジョブ番号（ジョブ０２４）が記載されており、また、この送信画データのファクシミリ装置３０，３０への送信処理のジョブ番号（ジョブ０２２，０２３）と共にその送信画データに関する通信管理情報が記載されている。この例では、２箇所の送信先に同報送信を行った場合を表している。また、図８，図９は、上記Ｓ１２においてロギング端末装置４０へ送信（転送）する送信画データを示す図であり、そのヘッダには、ロギング端末装置４０へのこの送信（転送）処理のジョブ番号（ジョブ０２４）が記載されている。
【００２９】
一方、画データの送信処理でない場合、即ち他のファクシミリ装置３０からの画データの受信処理である場合に（Ｓ１：ＮＯ）、受信した画データを画像メモリ８に格納すると共に記録部３によるその画データのプリントアウトを開始し（ステップＳ１４）、その画データの受信処理におけるジョブ番号（受信管理番号）を決定して（ステップＳ１５）、電話回線を切る（ステップＳ１６）。主制御部１は、この受信処理における通信管理情報（ジョブ番号（受信管理番号），発信元，受信モード，受信開始時刻，受信時間，受信ページ数，受信結果など）を通信管理情報記憶部１１に格納する（ステップＳ１７）。
【００３０】
主制御部１は、電話回線を介してロギング端末装置４０に発呼し（ステップＳ１８）、その受信画データのロギング端末装置４０への送信（転送）処理におけるジョブ番号（送信管理番号）を決定する（ステップＳ１９）。その受信画データの受信に関する情報を画データにしてロギング端末装置４０へ送信すると共に（ステップＳ２０）、その受信画データを画像メモリ８から読み出してロギング端末装置４０へ送信（転送）する（ステップＳ２１）。ロギング端末装置４０への転送が完了すると、ロギング端末装置４０との電話回線を切る（ステップＳ２２）。
【００３１】
図１０は、上記Ｓ２０においてロギング端末装置４０へ送信する受信情報を示す図である。ヘッダには、ロギング端末装置４０へのこの送信（転送）処理のジョブ番号（ジョブ０２５）が記載されており、また、この受信画データのファクシミリ装置３０からの受信処理のジョブ番号（ジョブ００２）と共にその受信画データに関する通信管理情報が記載されている。また、図１１は、上記Ｓ２１においてロギング端末装置４０へ送信（転送）する受信画データを示す図であり、そのヘッダには、ロギング端末装置４０へのこの送信（転送）処理のジョブ番号（ジョブ０２５）が記載されている。
【００３２】
なお、上述した例では、ファクシミリ装置３０への送信処理とロギング端末装置４０への送信（転送）処理とを一括管理し、ファクシミリ装置３０からの受信処理は別に管理することとしたが、これらの３種の処理にジョブ番号を順次付けて一括管理しても良く、または、これらの３種の処理を夫々独立にジョブ番号を付けて管理するようにしても良い。
【００３３】
【発明の効果】
以上のように本発明では、画像情報保存装置に画像情報を転送する場合に、通信管理用の番号を画像情報に付加して転送するようにしたので、転送された画像情報に通信管理用の番号が付加されているため、画像情報保存装置に転送された複数の画像情報の中から所望の画像情報を探す場合に、通信装置の通信管理情報に記載されている通信管理用の番号に一致する画像情報を探せば良く、極めて簡単に所望の画像情報を探し出すことができる。
【００３４】
また本発明では、付加する番号として、画像情報保存装置への送信処理に対応する番号を用いるようにしたので、所望の画像情報の探索処理を容易に行うことができる。
【００３５】
更に本発明では、画像情報の送信または受信に関する情報を画像情報保存装置へ送信する場合に、画像情報の送信処理に対応する番号を付加するようにしたので、所望の画像情報の探索処理をより容易に行うことができる。
【図面の簡単な説明】
【図１】本発明のファクシミリ装置の構成を示すブロック図である。
【図２】リモートコピー機能を果たすシステム構成を示す模式図である。
【図３】送信処理における通信管理情報の一例を示す図である。
【図４】受信処理における通信管理情報の一例を示す図である。
【図５】本発明のファクシミリ装置の処理動作の手順を示すフローチャートである。
【図６】本発明のファクシミリ装置の処理動作の手順を示すフローチャートである。
【図７】ロギング端末装置へ送信する送信画データの送信情報を示す図である。
【図８】ロギング端末装置へ送信する送信画データを示す図である。
【図９】ロギング端末装置へ送信する送信画データを示す図である。
【図１０】ロギング端末装置へ送信する受信画データの受信情報を示す図である。
【図１１】ロギング端末装置へ送信する受信画データを示す図である。
【符号の説明】
１  主制御部
６  ＲＯＭ
７  ＲＡＭ
８  画像メモリ
９  モデム
１０  ＮＣＵ
１１  通信管理情報記憶部
２０  ファクシミリ装置
３０  ファクシミリ装置
４０  ロギング端末装置
【図１】
0003630119.tif 000002
【図２】
0003630119.tif 000003
【図３】
0003630119.tif 000004
【図４】
0003630119.tif 000005
【図５】
0003630119.tif 000006
【図６】
0003630119.tif 000007
【図７】
0003630119.tif 000008
【図８】
0003630119.tif 000009
【図９】
0003630119.tif 000010
【図１０】
0003630119.tif 000011
【図１１】
0003630119.tif 000012